(57)【特許請求の範囲】
【請求項１】
便器本体のボール部付近に開口した吸気口から吸引手段によって前記ボール部内の臭気を吸引して処理する脱臭装置において、前記脱臭装置の吸気口の吸引方向の上流位置に該吸気口よりも拡開した開口部を有し、この開口部は、脱臭装置の吸気口よりも便器中心位置において該吸気口よりも前記ボール部内の封水方向に突き出した遮壁の先端と、前記脱臭装置の吸気口によって形成されてなる脱臭装置
【請求項２】
便器本体のボール部付近に開口した吸気口から前記ボール部内の臭気を吸引して処理する脱臭装置と、局部乾燥用の温風流路を有する温風乾燥装置とを備えた便座装置において、前記脱臭装置の吸気口よりも便器中心位置において該吸気口よりも前記ボール内の封水方向に突き出した遮壁を前記温風流路から突き出してなる脱臭装置付き便座装置。
【請求項３】
前記遮壁は、その下端部を前記吸気口の側へ向けて曲げたベントを備えてなる請求項２記載の脱臭装置を備えた便座装置。
【請求項４】
前記遮壁は、前記吸気口側への空気の吹き抜けを許容し且つ飛散水の通過を阻止可能な通気構造を備えてなる請求項２記載の脱臭装置付き便座装置。
【発明の詳細な説明】
【０００１】
【産業上の利用分野】
本発明は、臭気を含んだ空気を吸引して脱臭する機能を備えた脱臭装置及び脱臭装置を備えた便座装置係り、特に空気吸引用の吸気口及びその付近への埃の付着を防止するようにした脱臭ダクトの構造に関する。
【０００２】
【従来の技術】
局部洗浄のための洗浄機能を持つ温水洗浄便座は、便器本体に被さる便座をケーシングに一体化し、このケーシングに内蔵したノズル装置によって局部洗浄を可能としたものである。そして、局部洗浄や乾燥のほか、便器のボール部から空気を吸引して脱臭する機能も備えたものが既に開発されている。
【０００３】
この脱臭機能を備えた温水洗浄便座としては、たとえば本出願人が提案して実開平５−３３８２号として出願公開されたものがある。この脱臭装置は、空気吸引用のダクトをボール部に臨んで開口するようにケーシングの底部分に組み込み、このダクトの下流に吸引用のファンや脱臭用のオゾナイザ等を収納し、ケーシングの下端から脱臭した空気を放出するというものである。
【０００４】
【発明が解決しようとする課題】
空気吸引用のダクトは、その先端の吸気口が便器本体のボール部に向けて開放しているので、特に男性の小用の際に小水の飛沫を浴びやすく、吸気口部分の内部流路が濡れてしまうことがある。
【０００５】
一方、脱臭装置は、用便中からその後にかけても継続して作動させることで、臭気を除く運転とすることが通常である。このため、トイレットペーパーを使ったりするとき、その紙の微小な粉がダクトへの吸引空気の流れに乗って吸い込まれる可能性が高い。したがって、紙の粉はダクトの内周壁に付着している小水が絡み付いて捕らえられ、ダクトの主として入口部分に溜まるようになる。また、紙の粉だけでなく、漂っている微小な埃についても同様のことが言える。
【０００６】
また、洗浄後の乾燥用として温風ファンから温風が放出されるが、先の公報のもののように温風ファンのケーシングの開口端は脱臭用のダクトの直ぐ上に位置している場合では、放出される温風の影響を受けて脱臭用ダクトの内部を乾燥させる。この乾燥によって、小水に捕らえられていた紙の粉や埃は乾燥していき、ダクトの内周壁に堆積していく。これは温風を使わない場合の自然乾燥でも同様である。
【０００７】
このように、小水の付着，紙の粉や埃の吸引及び温風の乾燥による紙の粉や埃の堆積の順にサイクルが繰り返されることによって、ダクトの内部への付着分が増えていく。また、ダクト内部に付着した汚水は塩分等を含むため、乾燥後は固形化してしまう。従来ではこの付着を抑えるため、たとえばダクトの入口にフィルタを設ける等の対策が取られていたが、先の紙の粉や埃の付着のメカニズムからして、このようなフィルタを設けても目詰まりによるトラブルは必至であり、ユーザーが埃を払うのを忘れることは充分に想像されるものであり、必ずしも有効ではない。
【０００８】
本発明において解決すべき課題は、脱臭用のダクトの入口部分への埃の付着・堆積を確実に防止して脱臭機能の低下を防ぐことにある。
【０００９】
【課題を解決するための手段】
本発明は、便器本体のボール部付近に開口した吸気口から吸引手段によって前記ボール部内の臭気を吸引して処理する脱臭装置において、前記脱臭装置の吸気口の吸引方向の上流位置に該吸気口よりも拡開した開口部を有し、この開口部は、脱臭装置の吸気口よりも便器中心位置において該吸気口よりも前記ボール部内の封水方向に突き出した遮壁の先端と、前記脱臭装置の吸気口によって形成されてなることを特徴とする。
【００１１】
また、本発明の便座装置は、便器本体のボール部付近に開口した吸気口から前記ボール部内の臭気を吸引して処理する脱臭装置と、局部乾燥用の温風流路を有する温風乾燥装置とを備えた便座装置において、前記脱臭装置の吸気口よりも便器中心位置において該吸気口よりも前記ボール内の封水方向に突き出した遮壁を前記温風流路から突き出してなることを特徴とする。
【００１２】
更に、遮壁は、その下端部を吸気口の側へ向けて曲げたベントを備えたものや、吸気口側への空気の吹き抜けを許容し且つ飛散水の通過を阻止可能な通気構造を備えた構成とすることができる。
【００１３】
【作用】
脱臭装置の吸気口が便器本体のボール部に臨む面であってその入口の前方に遮壁を設けるので、ボール部に向けての小水の飛沫が発生してもこの遮壁によって飛沫が吸気口やその周辺に及ぶことが阻止される。
【００１４】
また、温風乾燥装置の温風流路に遮壁を設ける場合でも同様に飛沫の吸気口への入り込みが防止されると共に、温風の熱によって遮壁の乾燥を促進させることができる。
【００１５】
遮壁の下端を吸気口側に曲げたベントとしたものでは、たとえば脱臭装置の吸気口が下を向く姿勢のものに対しての有効なバリヤとなる。
【００１６】
更に、空気は吹き抜け可能であって小水等の飛散水に対してはその通過を阻止する通気構造を遮壁に持たせると、遮壁を下に突き出すことによる風量の低下を補償できる。
【００１７】
【実施例】
図１は本発明の脱臭装置のダクト構造を備えた温水洗浄便座付きの便器装置を示す斜視図である。
【００１８】
図において、便器本体１の上に温水洗浄便座のケーシング２が載せて固定され、このケーシング２には便座２ａ及び便蓋２ｂを開閉自在に取り付けている。ケーシング２の内部には後述する洗浄機能，乾燥機能及び脱臭機能が組み込まれ、これらの機能はケーシング２の側部に設けた操作盤２ｃによって操作される。
【００１９】
図２はケーシング２の内部構造を示す要部の縦断面図、図３はケーシング２内のほぼ右半分を示す平面図、図４はその正面図である。
【００２０】
ケーシング２の内部には、局部洗浄のためのノズル装置３，洗浄後の乾燥のための温風乾燥装置４及び便器本体１のボール部１ａから空気を吸引して脱臭するための脱臭装置５がそれぞれ組み込まれる。
【００２１】
ノズル装置３は、洗浄水の供給配管（図示せず）に接続されるシリンダ３ａの中にノズルロッド３ｂを設け、このノズルロッド３ｂをモータ３ｃ及び駆動ベルト３ｄに連接してストローク動作可能としたものであり、図１に示すようにノズルロッド３ｂを進出させたときに洗浄水を噴出して局部洗浄する。
【００２２】
温風乾燥装置４は、ファンハウジング４ａと温風流路４ｂとを備え、モータ４ｃ駆動の送風ファン４ｄをファンハウジング４ａに収納し、温風流路４ｂの上流側に加熱用のヒータ４ｅを備えたものである。温風流路４ｂはケーシング２の前端側まで伸びてその底部近傍で開放する形状を持ち、送風ファン４ｄによる空気流れを利用して開くシャッタ４ｆを先端に設けている。なお、温風温度の調節等のために温風流路中に温度センサ等を組み込むことは無論である。
【００２３】
脱臭装置５は、ケーシング２の右端部に収納した主ハウジング５ａとこれに接続され先端に吸気口を備えた脱臭ダクト５ｂとを備えたものである。そして、吸引手段としては主ハウジング５ａ内に設けたモータ５ｃ駆動の吸引ファン５ｄによって便器本体１のボール部１ａから臭気を吸引し、主ハウジング５ａの下流であってケーシング１の底面に開けた放出口１ｂから脱臭空気を放出する。また、ボール部１ａから吸引した空気を脱臭するため、主ハウジング５ａと脱臭ダクト５ｂとの接続部分にオゾナイザ５ｅを組み込むと共に、主ハウジング５ａの下端側には消臭用の触媒５ｆを備える。
【００２４】
図２及び図３から明らかなように、脱臭ダクト５ｂの先端部分は温風ダクト４ｂの下側に位置している。また、各機能部を載せているケーシング１の底板２ｄの前縁よりも前方に温風流路４ｂは伸び、脱臭ダクト５ｂは前縁とほぼ同じ位置で開口している。すなわち、脱臭ダクト５ｂの先端部分は温風流路４ｂの下側に隠れた位置にあり、ケーシング１の上面部分は温風流路４ｂの先端まで被さっている。
【００２５】
脱臭ダクト５ｂの入口への小水の飛沫の入り込みを無くすため、温風流路４ｂの下面には遮壁６を設ける。この遮壁６は図２に示すように、温風流路４ｂの下面に一体に形成されたもので、その位置は脱臭ダクト５ｂの入口の前方であって図３から明らかなようにこの入口の幅方向の全体を含む大きさを持つ。また、遮壁６は脱臭ダクト５ｂの入口の下端よりも低いレベルまで伸び、入口から遮壁６までの距離はこの入口の上下方向の開口長さよりも長い。
【００２６】
図５は脱臭ダクト５ｂの入口部分の形状が異なる例を示す要部の縦断面図である。
【００２７】
この例では、脱臭ダクト５ｂの先端部はその上部壁が先端まで被さり、ケーシング２の底板２ｄよりも突き出た部分の下面のみが開放している。このような脱臭ダクト５ｂの形状に対しても、先の条件を満たすように遮壁６を温風流路４ｂの下面に設ければよい。
【００２８】
更に、図６は図５の脱臭ダクト５ｂの形状のものに対して好適な遮壁６の構造例とした要部の縦断面図である。
【００２９】
図２の例で説明したものと同じ条件で温風流路４ｂの下面に設けた遮壁６の下端は、脱臭ダクト５ｂ側へ向けて斜め下に曲げたベント６ａとして形成されている。このベント６ａはその上側で開口している脱臭ダクト５ｂの入口部分をその下方から覆うような形状を持ち、小水の脱臭ダクト５ｂへの入り込みをし難くする。
【００３０】
また、図７に示すように、脱臭ダクト５ｂに遮壁６を一体に形成したものとすることもできる。この場合も他の例と同様に、遮壁６は下向きに開口している脱臭ダクト５ｂの先端の吸気口部分よりも前方に位置し、吸気口部分よりも下まで伸びた形状とすればよい。
【００３１】
以上の構成において、脱臭ダクト５ｂの入口は常に開いたままであるが、その前方には遮壁６が立ちはだかっているので、小用の際に小水の飛沫が及んでもこの遮壁６によって飛沫の入り込みが防止される。このため、脱臭ダクト５ｂの入口やその周辺が小水によって濡れてしまうことはなく、常に乾燥した状態に維持される。
【００３２】
このような乾燥状態が維持されておけば、トイレットペーパーを使用したときの紙の微小な粉や空気中の埃が脱臭ダクト５ｂの吸い込まれても、その入口や周辺に付着することはなく、臭気と共に放出口１ｂから排出されてしまい、埃の堆積が抑えられる。したがって、脱臭ダクト５ｂの流路面積が縮小したりすることがなく、吸引ファン５ｄによる空気の吸引が支障なく行え、脱臭機能の低下を招くことはない。
【００３３】
図６のように遮壁６の下端を脱臭ダクト５ｂの方向へ曲げたベント６ａとした場合では、ボール部１ａ内の洗浄水の溜水に小水が当たることによる撥ね水の飛来に対しても、これを効果的に遮断することができる。
【００３４】
また、遮壁６を温風乾燥装置４の温風流路４ｂを利用して設けているので、遮壁６を別部材としたりする場合に比べると構造が簡単になり、組立ても容易になる。
【００３５】
更に、脱臭ダクト５ｂは温風流路４ｂの直ぐ下に位置しているので、乾燥過程での温風流路４ｂを通過する温風流によってこの温風流路４ｂも加熱され、これからの放熱を脱臭ダクト５ｂの入口及びその周辺の乾燥にも利用できる。このため、湿度が高いような時期での凝縮等が発生しても、温風流路４ｂからの放熱を利用して乾燥が促進される。
【００３６】
以上の各例における遮壁６は、いずれも一枚の板を脱臭ダクト５ｂの前方で下に突き出した配置となっている。このような遮壁６では、突き出し長さを大きくすればするほど、脱臭ダクト５ｂへの小水の侵入はより効果的に防止される。ところが、遮壁６の突き出し量が長いと、脱臭ダクト５ｂへ向かう空気流が下に大きく迂回するほか流路面積も絞られやすい。このため、吸引ファン５ｄによる吸引力に影響を及ぼして風量の減少を招き、脱臭機能の低下の恐れがある。
【００３７】
これに対し、たとえば図５で示した遮壁６の配置に構造のものにおいて、図８及び図９に示すように遮壁６に多数の小孔６ｂを開けた構成とすれば、風量不足の問題は解消される。
【００３８】
図９に示すように、温風流路４ｂの下面から突き出されて脱臭ダクト５ｂの吸引端の前方に位置する遮壁６には、多数の小孔６ｂが一様に開けられている。この小孔６ｂは、小水の飛散水が通過しにくく空気の通過に対しては大きな抵抗を与えない程度の内径であり、約２ｍｍ程度とすることが好ましい。
【００３９】
このような小孔６ｂを開けておけば、吸引ファン５ｂによる空気の吸引に際しては、遮壁６が吸引端の前方で下に大きく突き出していても、空気の通過を許すために風量の低下を招くことはない。そして、小孔６ｂの内径を２ｍｍ程度としておけば、小水等の飛散水が付着しても、この小孔６ｂ部分に表面張力によって水膜を張るだけであり、脱臭ダクト５ｂ側への侵入は抑えられる。そして、このようにして生じた水膜は、その成長による自重の増加によって下に滑り落ちるか、温風流路４ｂからの熱によって乾燥させられる。
【００４０】
なお、図示の円形の小孔６ａを一様に開けたもののほかに、たとえば幅が２ｍｍ程度の縦長のスリットを遮壁６の幅方向に一定のピッチで開けたものであってもよく、この場合でも同様の効果が得られる。いずれにしても、遮壁６に開ける孔やスリットの大きさや分布が、遮壁６を突き出したことによる流路抵抗を補償して空気流れを促進させるものであればよい。
【００４１】
更に、図１０及び図１１の例は、遮壁６に代えてたとえば玉鎖７の列を温風流路４ｂの下面から吊り下げた例である。これらの玉鎖７は、たとえば、浴槽の排水栓等を繋いでおくための部材等として利用されているものである。そして、玉鎖７どうしの間の間隔を１〜２ｍｍ程度とすることにより、小水の飛散水が当たっても玉鎖７の列どうしの間の隙間からの通過を阻止することができる。その一方で、玉鎖７の列はそれぞれ分断されているので、列の間からの空気の吹き抜けは可能であり、吸引ファン５ｄによる脱臭ダクト５ｂへの風量を確保できる。
【００４２】
また、玉鎖７の列を多数吊り下げるのに代えて、適切な線材を間隔を置いて温風流路４ｂの幅方向に配列し、縦方向の隙間が多数並んだ御簾状のものとしてもよい。この場合でも、線材の間を空気が吹き抜けることによって風量が確保され、小水の飛散は線材自身で遮断または表面張力によって捕捉され、脱臭ダクト５ｂへの侵入が防止される。
【００４３】
また、以上の例ではいずれもケーシング２の中に脱臭装置５を組み込んでいるが、図１２に示すようにケーシング２とは別体として便器本体１のリム１ｃに掛けて使用するタイプの脱臭装置１０であってもよい。
【００４４】
この脱臭装置１０は、本体１０ａの上端にリム１ｃに掛けるためのハンガーを兼ねる脱臭ダクト１０ｂを回転自在に備え、この脱臭ダクト１０ｂの先端部を吸引口としてボール部１ａに臨ませたものである。そして、本体１０ａの内部にはコントローラ１１ａ，吸引ファン１１ｂ及び消臭用の触媒１１ｃを備え、脱臭ダクト１０ｂから吸い込んだ空気を触媒１１ｃを通過させて下端の放出口１０ｃから放出する。
【００４５】
脱臭ダクト１０ｂの先端側には、ボール部１ａ側に突き出て下に曲がる遮壁１２を設ける。この遮壁は、先の各例と同様に、脱臭ダクト１０ｂの吸気口よりも前方に位置して下まで被さる程度の形状を持つものである。
【００４６】
このように、ケーシング２とは別体の脱臭装置１０をリム１ｃに掛けて備える場合でも、小水やトイレットペーパ等の屑は遮壁１２によって遮られ、脱臭装置１０への異物の侵入が防止される。
【００４７】
なお、脱臭装置１０の場合でも、遮壁１２に図８及び図９で示したような多数の小孔を開けたものとして風量を確保すると共に、小水の飛散水等の脱臭ダクト１０ｂへの侵入を防止することができる。
【００４８】
【発明の効果】
本発明では、脱臭装置の吸引口の前方に遮壁を配置することによって、脱臭装置への内部流路が水分を浴びることがなくなり、紙の粉や埃等が入口付近に付着したり堆積したりしない。このため、脱臭装置の吸引口及びその下流の流路の詰まり等の発生がなく、これを確認するための保守点検の作業も不要となる。
【００４９】
また、温風乾燥装置を備えるものでは、温風乾燥装置の温風流路を脱臭ダクトの上側に位置させその下面に遮壁を設けることができるので、遮壁を別部材として用意する必要がなく、構造の複雑化も避けられる。
【００５０】
更に、遮壁にベントを持たせることで、脱臭ダクトの入口のどのような形状や姿勢に対しても、水分が至ることが確実に防止でき、信頼性が更に向上する。
【００５１】
そして更に、空気は吹き抜け可能であって水の通過を阻止する通気構造を遮壁に持たせる場合では、遮壁によって吸気口の前方が塞がれる構成に比べると、吸気口への空気流を促進させることができ、風量不足を生じることなく脱臭効果の低下を招くこともない。
【図面の簡単な説明】
【図１】本発明の脱臭ダクト構造を備えた温水洗浄便座付きの便器装置を示す斜視図である。
【図２】ケーシングの内部の構造の要部を示す縦断面図である。
【図３】ケーシングの内部構造の要部を示す平面図である。
【図４】ケーシングの内部構造の要部を示す正面図である。
【図５】脱臭ダクトの入口部分の形状の異なる例を示す要部の縦断面図である。
【図６】図５の例において遮壁の下端にベントを設けた例を示す要部の縦断面図である。
【図７】脱臭ダクトに遮壁を一体に形成した例を示す要部の縦断面図である。
【図８】図５に示した構成において遮壁に多数の小孔を開けた例を示す要部の縦断面図である。
【図９】図８の例における遮壁及び温風流路の要部を示す斜視図である。
【図１０】遮壁に代えて玉鎖を温風流路の下面から吊り下げた例を示す要部の縦断面図である。
【図１１】図１０の例における玉鎖及び温風流路の要部を示す斜視図である。
【図１２】脱臭装置をケーシングとは別置式として便器本体のリムに掛けて使用できるようにした例を示す要部の縦断面図である。
【符号の説明】
１    便器本体
１ａ  ボール部
１ｂ  放出口
２    ケーシング
２ｄ  底板
３    ノズル装置
４    温風乾燥装置
４ａ  ファンハウジング
４ｂ  温風流路
４ｄ  送風ファン
４ｅ  ヒータ
５    脱臭装置
５ａ  主ハウジング
５ｂ  脱臭ダクト
５ｃ  モータ
５ｄ  吸引ファン
５ｅ  オゾナイザ
５ｆ  触媒
６    遮壁
６ａ  ベント
６ｂ  小孔
７    玉鎖
１０    脱臭装置
１０ａ  本体
１０ｂ  脱臭ダクト
１０ｃ  放出口
１１ａ  コントローラ
１１ｂ  吸引ファン
１１ｃ  触媒
１２    遮壁
【図１】
0003539580.tif 000002
【図２】
0003539580.tif 000003
【図３】
0003539580.tif 000004
【図４】
0003539580.tif 000005
【図５】
0003539580.tif 000006
【図６】
0003539580.tif 000007
【図７】
0003539580.tif 000008
【図８】
0003539580.tif 000009
【図９】
0003539580.tif 000010
【図１０】
0003539580.tif 000011
【図１１】
0003539580.tif 000012
【図１２】
0003539580.tif 000013